(57)【要約】【課題】重量物を搬送方向と直角方向に移動可能な重量物搬送装置を、簡単な構造でコンパクトに設計できるようにすることである。【解決手段】重量物としての鉄骨枠体Ｗの搬送方向に敷設したレール３に沿って移動可能に配設した上下に開口する矩形状の枠体６の中に、レール３と直角方向に向けた複数の第１ころ４を下側に配列し、その上側にレール３と平行方向に向けた複数の第２ころ５を配列して、第１ころ４をレール３と転接させ、第２ころ５を上側に載せられる鉄骨枠体Ｗと転接させることにより、第１ころ４の転がりで鉄骨枠体Ｗを搬送方向に搬送するとともに、第２ころ５の転がりで鉄骨枠体Ｗを搬送方向と直角方向に移動可能とした。【選択図】図４
2011093621.tif 000002
【特許請求の範囲】
【請求項１】
重量物の搬送方向に敷設した１本または複数本のレールの上に、上下に開口する矩形状の枠体をレールに沿って移動可能に配設し、この枠体の中に、前記レールと直角方向に向けられ、レールと転接する複数の第１ころを下側に配列し、この配列された第１ころの上側に、前記レールと平行方向に向けられ、その上側に載せられる重量物と転接する複数の第２ころを配列した重量物搬送装置。
【請求項２】
前記枠体に、前記下側に配列される第１ころの両端部の下側に両側から内向きに張り出す鍔を設けた請求項１に記載の重量物搬送装置。
【請求項３】
前記第１ころの直径を、前記第２ころの直径よりも大径に形成した請求項１または２に記載の重量物搬送装置。
【請求項４】
前記レールを昇降させる手段を設けた請求項１乃至３のいずれかに記載の重量物搬送装置。
【請求項５】
前記レールを床面から浮かせて敷設し、前記重量物を矩形状の重量枠体として、縦向きとした重量枠体の上枠を前記枠体の中に配列された第２ころに載せ、縦向きの重量枠体を吊り下げて搬送するものとした請求項１乃至４のいずれかに記載の重量物搬送装置。
【請求項６】
前記重量枠体をブレース付きの鉄骨枠体とした請求項５に記載の重量物搬送装置。
【発明の詳細な説明】
【技術分野】
【０００１】
本発明は、ころを用いて重量物を搬送する重量物搬送装置に関する。
【背景技術】
【０００２】
重量物を搬送する簡便な搬送手段として、床面やレールの上に、搬送方向と直角方向に向けた複数のころを搬送方向に配列し、これらの配列したころの上に載せた重量物を、ころの転がりを利用して搬送する方法が古くから知られている。しかしながら、このころを用いた重量物の搬送方法は、重量物を搬送方向と直角方向に移動させるのが困難な問題がある。
【０００３】
このような問題に対して、図５に示すように、下側に配列された複数のころ５１を有するころ台車５２の上に、車輪５３を有する載荷台車５４を配設し、ころ台車５２を搬送方向に移動させるとともに、重量物を載せる載荷台車５４をころ台車５２の上で搬送方向と直角方向に移動可能とした、２段台車式の重量物搬送装置が提案されている（例えば、特許文献１参照）。なお、特許文献１に記載されたものでは、ころ台車５２のころ５１と載荷台車５４の車輪５３を駆動する駆動装置を設け、人力等を不要としている。
【先行技術文献】
【特許文献】
【０００４】
【特許文献１】実開昭６０−１４８７０９号公報
【発明の概要】
【発明が解決しようとする課題】
【０００５】
特許文献１に記載された２段台車式の重量物搬送装置は、重量物を搬送方向と直角方向に移動させることができるが、ころ台車と載荷台車に別々にころと車輪を取り付ける必要があり、構造が複雑で高さ寸法が大きくなる問題がある。
【０００６】
また、載荷台車をころ台車の上で搬送方向と直角方向に移動させるために、ころ台車の搬送方向と直角方向の幅寸法を大きくするか、別のころ台車を搬送方向と直角方向に継ぎ足す必要があり、平面寸法も大きくなる問題がある。
【０００７】
そこで、本発明の課題は、重量物を搬送方向と直角方向に移動可能な重量物搬送装置を、簡単な構造でコンパクトに設計できるようにすることである。
【課題を解決するための手段】
【０００８】
上記の課題を解決するために、本発明の重量物搬送装置は、重量物の搬送方向に敷設した１本または複数本のレールの上に、上下に開口する矩形状の枠体をレールに沿って移動可能に配設し、この枠体の中に、前記レールと直角方向に向けられ、レールと転接する複数の第１ころを下側に配列し、この配列された第１ころの上側に、前記レールと平行方向に向けられ、その上側に載せられる重量物と転接する複数の第２ころを配列した構成を採用した。
【０００９】
すなわち、重量物の搬送方向に敷設したレールに沿って移動可能に配設した上下に開口する矩形状の枠体の中に、レールと直角方向に向けた複数の第１ころを下側に配列し、その上側にレールと平行方向に向けた複数の第２ころを配列して、第１ころをレールと転接させ、第２ころを上側に載せられる重量物と転接させることにより、第１ころの転がりで重量物を搬送方向に搬送するとともに、第２ころの転がりで重量物を搬送方向と直角方向に移動可能とし、重量物を搬送方向と直角方向に移動可能な重量物搬送装置を、簡単な構造でコンパクトに設計できるようにした。
【００１０】
前記枠体に、前記下側に配列される第１ころの両端部の下側に両側から内向きに張り出す鍔を設けることにより、枠体をレールから取り外したときに、第１ころと第２ころが下方へ抜け落ちるのを防止することができる。
【００１１】
前記第１ころの直径は、前記第２ころの直径よりも大径に形成するとよい。搬送方向に転がる第１ころは、搬送方向と直角方向に転がる第２ころよりも転がり距離が長くなるからである。
【００１２】
前記レールを昇降させる手段を設けることにより、搬送される重量物の上下方向位置も調整することができる。
【００１３】
前記レールを床面から浮かせて敷設し、前記重量物を矩形状の重量枠体として、縦向きとした重量枠体の上枠を前記枠体の中に配列された第２ころに載せ、縦向きの重量枠体を吊り下げて搬送するものとすることにより、転倒しやすく、縦向きに搬送するのが難しい重量枠体を安定して搬送することができる。
【００１４】
前記重量枠体をブレース付きの鉄骨枠体とすることができる。耐震補強用のブレース付きの鉄骨枠体は、建築物の壁等の開口部に縦向きに組み込まれるので、好適である。
【発明の効果】
【００１５】
本発明の重量物搬送装置は、重量物の搬送方向に敷設したレールに沿って移動可能に配設した上下に開口する矩形状の枠体の中に、レールと直角方向に向けた複数の第１ころを下側に配列し、その上側にレールと平行方向に向けた複数の第２ころを配列して、第１ころをレールと転接させ、第２ころを上側に載せられる重量物と転接させることにより、第１ころの転がりで重量物を搬送方向に搬送するとともに、第２ころの転がりで重量物を搬送方向と直角方向に移動可能としたので、簡単な構造でコンパクトに設計することができる。
【図面の簡単な説明】
【００１６】
【図１】本発明に係る重量物搬送装置を用いて重量物である鉄骨枠体を壁の開口部に組み込む状態を示す斜視図
【図２】図１の枠体を示す切欠き正面図
【図３】（ａ）、（ｂ）は、それぞれ図２の枠体の上面図と底面図
【図４】図３の枠体をレールに取り付けた状態を示す正面断面図
【図５】従来の重量物搬送装置を示す外観斜視図
【発明を実施するための形態】
【００１７】
以下に、本発明の実施形態を説明する。図１は、本発明に係る重量物搬送装置を用いて、建築物の壁の開口部Ｓに、重量物としてブレース付きの鉄骨枠体Ｗを組み込む状態を示す。この重量物搬送装置は、アングルで補強された一対の基台１の上に、ジャッキ２を介して２本の平行なレール３を床面から浮かせて、開口部Ｓに向けて直角に敷設し、各レール３の上に、後述する第１ころ４と第２ころ５を組み込んだ矩形状の枠体６を配設したものである。
【００１８】
図２および図３（ａ）、（ｂ）に示すように、前記枠体６は上下に開口し、下側に左右両側から内向きに張り出す鍔６ａが設けられ、上側に左右両側から内向きに突出する爪６ｂが設けられており、この枠体６の中の下側に、左右方向に向けた複数の第１ころ４が配列され、その上に、搬送方向となる前後方向に向けた複数の第２ころ５が配列されている。したがって、枠体６の中に第１ころ４と第２ころ５を組み込んだときに、下側の各第１ころ４の両端部が左右の鍔６ａに支持され、第１ころ４とその上側の第２ころ５の抜け落ちが防止される。また、枠体６の前後側側壁の下部には下側の鍔６ａとの間に窓６ｃが設けられ、後の図４に示す横向きＨ型断面のレール３の上辺が通されるようになっている。
【００１９】
前記第１ころ４は、第２ころ５よりも直径が大径に形成され、配列本数も多くなっている。また、第１ころ４と第２ころ５の長さは、それぞれ枠体６の左右方向と前後方向の内法寸法よりも少し短く形成され、配列された第１ころ４同士と第２ころ５同士の間には少し隙間が開けられるようになっている。
【００２０】
図４は、前記レール３に枠体６を取り付けた状態を示す。枠体６は左右の幅がレール３の上辺の幅よりも広く形成されており、レール３の上辺を窓６ｃに通して、下側の左右の鍔６ａと第１ころ４の間に挿入するようにレール３の端から取り付けられる。したがって、レール３と直角方向に向けられた第１ころ４がレール３の上面と転接し、レール３と平行方向に向けられた第２ころ５が、重量物としての鉄骨枠体Ｗの下面と転接して、鉄骨枠体Ｗを第１ころ４の転がりで搬送方向に搬送できるとともに、第２ころ５の転がりで搬送方向と直角方向に移動させることができる。なお、枠体６の上側の爪６ｂは、鉄骨枠体Ｗの下面と左右両端の第２ころ５との間の隙間に突出し、枠体６の下方への抜け落ちを防止する。
【００２１】
以下に、図１に示したブレース付きの鉄骨枠体Ｗを壁の開口部Ｓに組み込む手順を説明する。まず、準備段階として、縦向きにした鉄骨枠体Ｗをクレーン等で開口部Ｓの手前側に吊り下げ、鉄骨枠体Ｗと開口部Ｓに挿入した２本の各レール３が壁と直角になるように、一対の基台１の位置を調整し、第１ころ４と第２ころ５を組み込んだ枠体６を、各レール３に沿わせて鉄骨枠体Ｗの上枠の下側に移動させ、鉄骨枠体Ｗの上枠を各枠体６の上に吊り下ろす。
【００２２】
こののち、各レール３と転接する第１ころ４の転がりを利用して、鉄骨枠体Ｗを開口部Ｓの直前まで搬送したのち、鉄骨枠体Ｗの高さ位置を開口部Ｓの高さに合わせるようにジャッキ２で調整するとともに、鉄骨枠体Ｗの左右位置を開口部Ｓと合わせるように、鉄骨枠体Ｗの上枠と転接する第２ころ５の転がりを利用して、鉄骨枠体Ｗを搬送方向と直角方向に移動させる。最後に、再び第１ころ４の転がりを利用して、位置合わせした鉄骨枠体Ｗを開口部Ｓに組み込む。
【００２３】
上述した実施形態では、重量物としてブレース付きの鉄骨枠体を搬送するものとし、レールを床面から浮かせて敷設したが、本発明に係る重量物搬送装置は、このような枠体の重量物に限定されることなく、様々な形状の重量物の搬送に適用することができ、レールを床面や地面に敷設することもできる。
【符号の説明】
【００２４】
１  基台
２  ジャッキ
３  レール
４  第１ころ
５  第２ころ
６  枠体
６ａ  鍔
６ｂ  爪
６ｃ  窓
【図１】
2011093621.tif 000003
【図２】
2011093621.tif 000004
【図３】
2011093621.tif 000005
【図４】
2011093621.tif 000006
【図５】
2011093621.tif 000007